(57)【要約】【課題】  利用者に付与される特典の内容を予測することが困難な計数機を提供する。【解決手段】  計数機１の制御部１１３は、返却ボタン６３もしくは全部ボタン６５を押下されると、必要に応じてメダルの返却などを行ったのち、利用者が会員であるか否かを判別する（Ｓ１０〜Ｓ４０）。そして、抽選テーブルを参照して、カウント部１１１のカウント値とＳ４０の判別結果に応じた抽選確率を選択したのち、この抽選確率に従って利用者に付与すべき各種特典のうちのいずれかを抽選する（Ｓ５０〜Ｓ７０）。ここで、抽選結果が利用者にとって有利な特典であれば、ディスプレイ３に特典を表示し、又、カウント値と共に特典をレシートに印刷する（Ｓ８０〜Ｓ１１０）。一方、利用者にとって有利な特典でない（つまり、「はずれ」である場合）には、ディスプレイ３に抽選結果を表示せずに、カウント値のみをレシートに印刷する。【選択図】図３
2005046552.tif 000002
【特許請求の範囲】
【請求項１】
供給された遊技媒体の数、もしくは、該遊技媒体の数に対応する点数をカウントする計数機であって、
当該計数機の利用者に付与すべき各種特典のうちのいずれかを選び出す特典抽選を実行する抽選手段と、
該特典抽選にて各種特典がそれぞれ選び出される抽選確率を予め指定された対象データの内容に応じて設定する抽選確率設定手段と、
を備えることを特徴とする計数機。
【請求項２】
前記抽選確率設定手段は、前記対象データの内容と前記抽選確率とを対応づけた抽選テーブルを備え、該抽選テーブルから前記対象データの内容に対応する前記抽選確率を選択することを特徴とする請求項１記載の計数機。
【請求項３】
前記抽選確率設定手段は、当該計数機のカウントによって得られたカウント値を前記対象データとすることを特徴とする請求項１又は請求項２記載の計数機。
【請求項４】
当該計数機の利用者が予め指定された者であるか否かを判別する第１の判別手段を備え、
前記抽選確率設定手段は、該第１の判別手段の判別結果を前記対象データとすることを特徴とする請求項１又は請求項２記載の計数機。
【請求項５】
前記第１の判別手段は、予め指定された情報提供媒体から提供される情報により判別を行うことを特徴とする請求項４記載の計数機。
【請求項６】
前記情報提供媒体は、ＩＣカードや磁気カード、携帯型端末装置のうちのいずれかからなることを特徴とする請求項５記載の計数機。
【請求項７】
当該計数機に対して予め指定された操作がなされたか否かを判別する第２の判別手段を備え、
前記抽選確率設定手段は、該第２の判別手段の判別結果を前記対象データとすることを特徴とする請求項１又は請求項２記載の計数機。
【請求項８】
当該計数機の利用者が遊技場に貯蓄している遊技媒体の数もしくはこれに応じた点数からなるポイントの大きさを確認する第１の確認手段を備え、
前記抽選確率設定手段は、該第１の確認手段の確認結果を前記対象データとすることを特徴とすることを特徴とする請求項１又は請求項２記載の計数機。
【請求項９】
当該計数機の利用者が遊技場に遊技媒体を貯蓄した貯蓄回数を確認する第２の確認手段を備え、
前記抽選確率設定手段は、該第２の確認手段の確認結果を前記対象データとすることを特徴とする請求項１又は請求項２記載の計数機。
【請求項１０】
前記第２の確認手段は、予め指定された期間内における貯蓄回数を確認対象とすることを特徴とする請求項９記載の計数機。
【請求項１１】
前記特典抽選の結果を記録媒体に記録する記録手段を備えることを特徴とする請求項１乃至請求項１０いずれか記載の計数機。
【請求項１２】
前記記録媒体は、紙からなり、
当該計数機は、前記記録媒体における前記特典抽選の結果を記録した部位を切り離し可能な状態にして、前記記録媒体を排出する排出手段を備えることを特徴とする請求項１１記載の計数機。
【請求項１３】
前記遊技媒体は、遊技球もしくはメダルからなることを特徴とする請求項１乃至請求項１２いずれか記載の計数機。
【請求項１４】
請求項１乃至請求項１３いずれか記載の計数機を備えたことを特徴とする遊技機。
【発明の詳細な説明】
【技術分野】
【０００１】
本発明は、供給された遊技媒体の数、もしくは、遊技媒体の数に対応する点数をカウントする計数機と、これに関わる技術とに関する。
【背景技術】
【０００２】
従来より、パチンコ遊技機やスロット遊技機での遊技で獲得した遊技球やメダルの数をカウントする計数機が様々に開発されている。そして、その中の１つとして、当たりか否かを抽選する抽選機能を備えた計数機が考案されている（例えば、特許文献１参照。）。
【０００３】
この計数機では、投入された遊技球やメダルの数が予め設定された数に達しているか否かを判定し、その結果に応じて当たりか否かを決定している。尚、この計数機では、当たりの発生を様々に変化させるため、当たりを発生させるのに必要な遊技球やメダルの数を外部から様々に設定できるようにされている。
【特許文献１】特開平１１−９００２９号  公報（段落［００１８］〜［００２５］、第４図）
【発明の開示】
【発明が解決しようとする課題】
【０００４】
しかしながら、このような計数機では、遊技球やメダルの数がその設定値に達していれば必ず当たりが発生するため、設定値を頻繁に変更しなければ、どの程度の数で当たりが発生するのかを計数機を頻繁に利用する人に経験則から予測されてしまい、抽選の興趣が低下するという問題点があった。
【０００５】
そこで、本発明は、上記問題点を解決するために、利用者に付与される特典の内容を予測することが困難な計数機を提供することを目的とする。
【課題を解決するための手段】
【０００６】
上記目的を達成するためになされた請求項１記載の発明は、供給された遊技媒体の数、もしくは、該遊技媒体の数に対応する点数をカウントする計数機であって、当該計数機の利用者に付与すべき各種特典のうちのいずれかを選び出す特典抽選を実行する抽選手段と、該特典抽選にて各種特典がそれぞれ選び出される抽選確率を予め指定された対象データの内容に応じて設定する抽選確率設定手段とを備えることを特徴とする。
【０００７】
このように構成された計数機では、抽選手段が、特典抽選を実行する一方で、抽選確率設定手段が、特典抽選における抽選確率を予め指定された対象データの内容に応じて設定する。
【０００８】
つまり、この計数機では、当該計数機の利用者に付与すべき各種特典のいずれかが確率的に選び出されるだけでなく、その抽選確率を予め指定された対象データの内容に応じて設定するため、選び出される特典が常に不一様となる。即ち、本発明により、利用者に付与される特典の内容を予測することが困難な計数機を提供できる。
【０００９】
尚、請求項２記載のように、抽選確率設定手段には、対象データの内容と抽選確率とを対応づけた抽選テーブルを備えておき、該抽選テーブルから対象データの内容に対応する抽選確率を選択するように抽選確率設定手段を設定すると良い。
【００１０】
この場合、予め抽選テーブルに対象データの内容に対応づけて抽選確率を設定しておくだけで、特典抽選の際に、いちいち抽選確率を算出せずとも、対象データの内容に応じた抽選確率を設定できる。
【００１１】
ここで、抽選確率設定手段は、例えば、請求項３記載のように、当該計数機のカウントによって得られたカウント値を対象データとすれば良い。
この場合、カウント値の大きさに比例して利用者にとって有利な特典の抽選確率を大きくするように抽選確率設定手段を設定すれば、多くの遊技媒体を当該計数機に供給した者、即ち、多くの遊技媒体を獲得した者を優遇できる。
【００１２】
又、当該計数機の利用者が予め指定された者であるか否かを判別する第１の判別手段を計数機が備える場合、抽選確率設定手段は、請求項４記載のように、第１の判別手段の判別結果を対象データとすれば良い。
【００１３】
この場合、例えば、遊技場の会員を予め指定された者として第１の判別手段に設定し、会員であることを判別結果が示す場合に、利用者にとって有利な特典の抽選確率を大きくするように抽選確率設定手段を設定しておけば、会員を優遇できる。
【００１４】
ここで、第１の判別手段は、例えば、請求項５記載のように、予め指定された情報提供媒体から提供される情報により判別を行えば良い。即ち、予め指定された者である旨を示す情報を情報提供媒体に設定するだけで、当該計数機の利用者が予め指定された者であるか否かを容易に判別できる。
【００１５】
尚、情報提供媒体としては、例えば、請求項６記載のように、ＩＣカードや磁気カード、携帯型端末装置のうちのいずれかを用いれば良い。この場合、遊技場の会員に会員カードとしてＩＣカードや磁気カードを発行したり、会員であることを示すＩＤを会員に付与して、携帯型端末装置から当該計数機にアクセスさせることにより、判別に必要な情報を第１の判別手段に提供できる。尚、「携帯型端末装置」としては、例えば、携帯電話機や携帯情報端末（ＰＤＡ）などを用いることができる。
【００１６】
又、当該計数機に対して予め指定された操作がなされたか否かを判別する第２の判別手段を計数機が備える場合には、抽選確率設定手段は、請求項７記載のように、第２の判別手段の判別結果を対象データとすれば良い。
【００１７】
この場合、例えば、当該計数機に供給した遊技媒体の少なくとも一部の対価を寄付するという操作がなされたか否かを判別するように第２の判別手段を設定し、その操作がなされたことを判別結果が示す場合に、利用者にとって有利な特典の抽選確率を大きくするように抽選確率設定手段を設定すれば、寄付を行う者を優遇することができる。尚、第２の判別手段を寄付の大きさまで判別するように設定し、寄付の大きさに比例して、利用者にとって有利な特典の抽選確率を大きくするように抽選確率設定手段を設定すれば、大きな寄付を行う者を優遇できる。
【００１８】
又、請求項８記載のように、計数機に、当該計数機の利用者が遊技場に貯蓄している遊技媒体の数もしくはこれに応じた点数からなるポイントの大きさを確認する第１の確認手段を備え、該第１の確認手段の確認結果を対象データとするように抽選確率設定手段を設定しても良い。
【００１９】
この場合、ポイントの大きさに比例して、利用者にとって有利な特典の抽選確率を大きくするように抽選確率設定手段を設定すれば、遊技場に多くのポイントを貯蓄している者を優遇できる。
【００２０】
又、請求項９記載のように、計数機に、当該計数機の利用者が遊技場に遊技媒体を貯蓄した貯蓄回数を確認する第２の確認手段を備え、該第２の確認手段の確認結果を対象データとするように抽選確率設定手段を設定しても良い。
【００２１】
この場合、貯蓄回数の大きさに比例して、利用者にとって有利な特典の抽選確率を大きくするように抽選確率設定手段を設定すれば、遊技場に遊技媒体を頻繁に貯蓄した者を優遇できる。
【００２２】
尚、第２の確認手段は、請求項１０記載のように、予め指定された期間内における貯蓄回数を確認対象としても良い。
この場合、予め指定された期間内にて遊技場に遊技媒体を頻繁に貯蓄した者を優遇できる。
【００２３】
ところで、上記計数機はいずれも、請求項１１記載のように、特典抽選の結果を記録媒体に記録する記録手段を備えると良い。即ち、特典抽選の結果が利用者にとって有利な特典である場合に、その旨を記録した記録媒体を遊技場の係員に提示することにより、利用者にとって有利な特典が付与されたことを証明できる。
【００２４】
尚、記録媒体が、紙からなる場合、上記計数機は、請求項１２記載のように、記録媒体における特典抽選の結果を記録した部位を切り離し可能な状態にして、記録媒体を排出する排出手段を備えると良い。即ち、利用者にとって有利な特典が付与された旨を記録した部位を印刷媒体から切り離して、それを当たり券として使用することができる。そして、この当たり券の数に応じて、利用者に提供する景品を異ならせば、利用者に再度遊技場を利用する意欲を沸かせることができる。尚、この場合、当たり券の数に比例して、遊技者に提供する景品の質を上げると良い。
【００２５】
又、上記計数機はいずれも、請求項１３記載のように、遊技球もしくはメダルを遊技媒体に用いれば、パチンコ遊技機やスロット遊技機の計数機として好適に用いることができる。
【００２６】
ここで、請求項１４記載の発明は、請求項１乃至請求項１３いずれか記載の計数機を備えた遊技機である。
即ち、例えば、遊技球を外部に払い出さない、所謂、封入式の遊技機においても、請求項１乃至請求項１３いずれか記載の計数機と同様の効果を得ることができる。
【発明を実施するための最良の形態】
【００２７】
以下に本発明の実施形態を図面と共に説明する。
まず、図１は、本発明に係る計数機１の外観を概略的に示す平面図である。
図１に示すように、計数機１は、スロット遊技機にて使用されるメダル（図示せず）を投入する投入口２と、複数のＬＥＤ表示器からなり、投入口２に投入されたメダルの数や当該計数機１の利用者に付与する各種特典（本実施形態では、１等賞〜４等賞及びはずれ）を表示するディスプレイ３と、磁気カードからなる会員カード（図示せず）を挿入するための挿入口４と、メダルの数などを印刷したレシートを排出するための排出口５と、当該計数機１を操作するための操作部６と、遊技者にメダルを返却する返却口７とを備える。
【００２８】
尚、操作部６は、当該計数機１にメダルのカウントを開始させるためのスタートボタン６１と、当該計数機１にカウント結果の端数分のメダルを当該計数機１の利用者に返却させると共に、端数分を除いたカウント結果をレシートに印刷させるための返却ボタン６３と、当該計数機１にカウント結果の全てをレシートに印刷させるための全部ボタン６５とを備える。
【００２９】
ここで、図２は、計数機１における各処理を行う制御系統１１の機能ブロック図である。
図２に示すように、制御系統１１は、投入口２に投入されたメダルの数をカウントするカウント部１１１と、ディスプレイ３に表示を行う表示部１１２と、当該制御系統１１の各部を統括制御したり、当該計数機１の利用者に付与すべき各種特典を抽選する制御部１１３と、メダルの数や抽選の結果をレシートに印刷する印刷部１１４と、遊技場に設置された管理端末１１９と制御部１１３とのデータ通信を仲介する通信部１１５と、挿入口４に挿入された会員カードの内容（情報）を読み取り、制御部１１３へ転送する読取部１１６と、メダルを返却する返却部１１７などを備える。
【００３０】
尚、カウント部１１１は、投入口２に投入されたメダルを当該計数機１の内部に順次取り込む取込機構や、取り込んだメダルを検出する検出センサ、該検出センサからの検出信号に基づいてカウントを行うカウント回路などから構成され、そのカウント値を表示部１１２及び制御部１１３へ提供する。
【００３１】
又、表示部１１２は、ディスプレイ３におけるＬＥＤ表示器を作動させるための電子回路などから構成され、カウント部１１１から提供されるカウント値や制御部１１３から提供される抽選結果をディスプレイ３のＬＥＤ表示器に表示させる。
【００３２】
又、印刷部１１４は、レシートに印字する印字機構や、レシートを搬送する搬送機構、レシートを切断する切断機構、及びこれらを駆動する駆動回路などから構成され、制御部１１３からの要求に応じてレシートに印刷を行う。但し、印刷部１１４の切断機構は、レシートを切断するだけでなく、レシートにミシン目状の切り込みを刻めるように構成されている。
【００３３】
又、通信部１１５は、パケット変換などを行う通信回路などからなり、制御部１１３からのデータをパケットに格納して管理端末１１９へ送信したり、管理端末１１９から受信したパケットからデータを抽出し、制御部１１３へ提供する。
【００３４】
又、読取部１１６は、磁気カードの磁気を電気信号に変換する電子回路などから構成され、磁気カードの内容を読み取り、制御部１１３へ提供する。
又、返却部１１７は、投入口２から取り込んだメダルを返却口７に排出する排出機構や、該排出機構を駆動する駆動回路などから構成され、制御部１１３からの要求に応じてメダルを返却口７へ排出する。
【００３５】
又、管理端末１１９は、遊技者が遊技場に貯蓄しているメダルの数を管理し、制御部１１３からの要求に応じて、計数機１の利用者が貯蓄しているメダルの数などを通知する。
そして、制御部１１３は、ＣＰＵやＲＡＭ、ＲＯＭなどから構成され、以下に示す制御処理を実行する。尚、制御部１１３には、遊技者に付与すべき各種特典のうちのいずれかを選び出す抽選処理がサブルーチンとして設定されていると共に、この抽選処理にて各種特典をそれぞれ選び出す抽選確率とカウント部１１１から提供されるカウント値の大きさとを対応づけた抽選テーブルが設定されている（図５参照）。但し、本実施形態の抽選テーブルでは、カウント値が大きい程、計数機１の利用者にとって有利な特典（１等賞〜４等賞）の抽選確率が大きくなるように設定され、又、計数機の利用者が遊技場の会員である場合には、会員でない場合（非会員である場合）よりも、利用者にとって有利な特典の抽選確率が更に大きくなるように設定されている。
【００３６】
ここで、図３は、制御部１１３が行う制御処理の流れを示すフローチャートである。尚、本処理は、制御部１１３がカウント部１１１からカウントを終了したことを示す終了信号を受信したのち、返却ボタン６３及び全部ボタン６５のいずれか一方が押下されると起動する。
【００３７】
図３に示すように、制御部１１３は、本処理を起動すると、まず、押下されたのが返却ボタン６３であるか否かを確認する（Ｓ１０）。ここで、返却ボタン６３であれば、カウント部１１１のカウント値から端数分を減算すると共に（Ｓ２０）、端数分のメダルを返却部１１７に返却させたのち（Ｓ３０）、挿入口４に会員カードが挿入されているか否かを読取部１６に確認したり、会員カードの内容を管理端末１１９に確認するなどして利用者が会員であるか否かを判別する（Ｓ４０）。一方、Ｓ１０において、全部ボタン６５であれば、直ちにＳ４０に移行する。
【００３８】
利用者が会員であるか否かの判別が終了すると、制御部１１３は、抽選テーブルを参照し（Ｓ５０）、その判別結果と、カウント部１１１のカウント値とに対応する抽選確率を選択する（Ｓ６０）。そして、選択した抽選確率に従って抽選処理を実行し（Ｓ７０）、利用者に付与すべき特典を選び出す。尚、この抽選処理では、予め設定された乱数発生関数にて発生し得る乱数にそれぞれ、抽選確率に応じた配分で各種特典を割り当てたのち、乱数発生関数から乱数を１つ取得し、この乱数に対応する特典を抽選結果として制御処理に提供する。
【００３９】
抽選処理が終了すると、制御部１１３は、抽選結果が利用者にとって有利な特典であるか否かを判別し（Ｓ８０）、有利な特典であれば、その特典を表示部１１２に表示させると共に（Ｓ９０）、印刷部１１４にその特典を印刷させる（Ｓ１００）。ここで、印刷部１１４は、レシートに特典を印刷したのち、特典を印刷した部位の近傍にミシン目状の切れ目を刻む。
【００４０】
レシートへの印刷が終了すると、制御部１１３は、印刷部１１４にカウント値を印刷させ（Ｓ１１０）、本処理を終了する。これにより、特典を印刷された部分を切り離し可能にされたレシート（図４（ａ）参照）が計数機１から排出される。
【００４１】
尚、Ｓ８０において、抽選結果が利用者にとって有利な特典でない場合（つまり、「はずれ」の場合）には、直ちにＳ１１０に移行したのち、本処理を終了する。つまり、抽選結果をディスプレイ３に表示せずに、カウント値のみを記載したレシート（図４（ｂ）参照。）を排出する。
【００４２】
以上のように、本実施形態の計数機１では、制御部１１３が、各種特典のいずれかを確率的に選び出すだけでなく、抽選確率をカウント値（つまり、メダルの数）と、遊技者が会員であるか否かに応じて設定するため、選び出される特典が常に不一様となる。即ち、本実施形態の計数機１によれば、利用者に付与される特典の内容を予測することを困難にできる。
【００４３】
又、本実施形態の計数機１では、抽選確率が、カウント値の大きさや利用者が会員であるか否かに対応づけて抽選テーブルに設定されているため、抽選処理の際に、いちいち抽選確率を算出せずとも、カウント値の大きさや利用者が会員であるか否かに応じた抽選確率を設定できる。
【００４４】
又、本実施形態の計数機１では、会員や獲得したメダルの数が多い利用者に対して有利な特典の抽選確率を大きくするように抽選テーブルが設定されているため、会員や多くのメダルを獲得した利用者を優遇できる。
【００４５】
又、本実施形態の計数機１では、利用者にとって有利な特典が選び出された場合に、その特典を記載されたレシートを排出するため、利用者はレシートを遊技場の係員に見せることにより、有利な特典が付与されたことを証明できる。しかも、本実施形態の計数機１では、特典を記載した部位を切り離し可能にしてレシートを排出するため、それを切り離して当たり券として使用することができる。つまり、この当たり券の数に比例して、利用者に提供する景品の質を向上させれば、利用者に再度遊技場を利用する意欲を沸かせることができる。
【００４６】
尚、本実施形態では、制御部１１３が行う制御処理のＳ７０（つまり、抽選処理）が本発明の抽選手段に、Ｓ５０及びＳ６０が本発明の抽選確率設定手段に、Ｓ４０が本発明の第１の判別手段に相当する。
【００４７】
又、本実施形態では、印刷部１１４が本発明の記録手段及び排出手段に相当する。
以上、本発明の実施の形態について説明したが、本発明は、上記実施形態に何ら限定されることはなく、本発明の技術的範囲に属する限り種々の形態をとり得ることはいうまでもない。
【００４８】
例えば、上記実施形態の計数機１に、投入したメダルの少なくとも一部の対価を寄付するという操作ボタンなどを備え、制御部１１３の制御処理に、操作ボタンが操作されたか否かを判別する判別ステップ（本発明の第２の判別手段に相当）を設定しても良い。この場合、その操作がなされた場合に利用者にとって有利な特典の抽選確率が大きくなるように抽選テーブルを設定すれば、寄付を行う者を優遇することができる。尚、寄付の程度まで判別するように判別ステップを設定し、その程度に応じて抽選テーブルにおける各種特典の抽選確率を設定しても良い（図８参照）。
【００４９】
又、制御処理のＳ４０にて、利用者が遊技場に貯蓄しているメダルの数や予め指定された期間内（例えば１ヶ月間など）における貯蓄回数を確認し（本発明の第１，２の確認手段に相当）、その程度に応じて抽選テーブルにおける各種特典の抽選確率を設定しても良い（図６，７参照）。この場合、遊技場に多くのメダルを貯蓄している利用者や、頻繁にメダルを貯蓄する利用者を優遇できる。
【００５０】
又、上記実施形態では、会員カードとして磁気カードを用いたが、これに代えてＩＣカードを用いても良い。この場合、読取部１１６をＩＣカードの内容を読み取り可能に構成すれば良い。又、磁気カードやＩＣカードに代えて、会員にＩＤを付与し、そのＩＤを持つ者のみ、携帯電話や携帯情報端末（ＰＤＡ）などの携帯型端末装置を用いて、計数機１にアクセス可能にし、会員であることを認証できるように計数機１を設定しても良い。
【００５１】
又、上記実施形態では、本発明をスロット遊技機で使用されるメダルの数をカウントする計数機に適用したが、パチンコ遊技機で使用される遊技球の数をカウントする計数機や、他の形態の遊技機で使用される遊技媒体をカウントする計数機に適用しても勿論良い。
【００５２】
又、上記実施形態では、本発明をジェットカウンタ式の計数機に用いたが、遊技球の数に応じた点数をカウントする、所謂、封入式遊技機に具備された計数機に適用しても勿論良い。
【図面の簡単な説明】
【００５３】
【図１】本発明に係る計数機１の外観を概略的に示す平面図である。
【図２】計数機１における各処理を行う制御系統１１の機能ブロック図である。
【図３】制御部１１３が行う制御処理の流れを示すフローチャートである。
【図４】計数機１が排出するレシートの概要図である。
【図５】抽選テーブルの概要を示す説明図である。
【図６】メダルの貯蓄数と抽選確率とを対応づけた抽選テーブルの一例を示す説明図である。
【図７】メダルの貯蓄回数と抽選確率とを対応づけた抽選テーブルの一例を示す説明図である。
【図８】寄付数と抽選確率とを対応づけた抽選テーブルの一例を示す説明図である。
【符号の説明】
【００５４】
１…計数機、２…投入口、３…ディスプレイ、４…挿入口、５…排出口、６…操作部、７…返却口、１１…制御系統、６１…スタートボタン、６３…返却ボタン、６５…全部ボタン、１１１…カウント部、１１２…表示部、１１３…制御部、１１４…印刷部、１１５…通信部、１１６…読取部、１１７…返却部、１１９…管理端末。
【図１】
2005046552.tif 000003
【図２】
2005046552.tif 000004
【図３】
2005046552.tif 000005
【図４】
2005046552.tif 000006
【図５】
2005046552.tif 000007
【図６】
2005046552.tif 000008
【図７】
2005046552.tif 000009
【図８】
2005046552.tif 000010